(57)【特許請求の範囲】
【請求項１】
内部に流路を有する本体部と、
開閉により前記流路の上流側から下流側への湯水の流通と遮断を切り替えるための開閉弁と、
前記開閉弁よりも前記流路の下流側に設けられ、前記開閉弁側への湯水の逆流を防止するための第１逆止弁と、
前記第１逆止弁よりも前記流路の下流側に設けられ、前記開閉弁側への湯水の逆流を防止するための第２逆止弁と、
前記第１逆止弁と前記第２逆止弁との間の前記流路に連通しており、逆流発生時には逆流水を排水するための大気開放弁と、
前記第１逆止弁よりも前記流路の下流側に設けられ、前記開閉弁側への湯水の逆流を防止するバッフル部材を有する第３逆止弁と、
前記バッフル部材よりも前記流路の下流側に設けられ、湯水の流通時において変形した前記バッフル部材が接触可能に配置され、前記バッフル部材の変形を制限する変形抑制部とを備え、
前記変形抑制部は、前記流路の内壁に設けられ、前記流路の中心に向かって延びているリブを有している、逆流防止装置。
【請求項２】
前記変形抑制部は、前記流路の上流側に位置する側がテーパー部とされており、
前記テーパー部は、前記流路の中心側から前記流路の内壁側に向かうにしたがい、前記流路の上流側から前記流路の下流側に向かって傾斜している、請求項１に記載の逆流防止装置。
【請求項３】
前記流路の内壁から前記流路の中心に向かう方向の前記リブの長さは、前記流路の内半径の０．５倍以上１倍以下である、請求項１に記載の逆流防止装置。
【請求項４】
前記変形抑制部は、湯水の通水方向からみて円環形状の支持部を有しており、
前記支持部の外周は、前記リブに連結されている、請求項１〜３のいずれか１項に記載の逆流防止装置。
【請求項５】
前記変形抑制部は、補助リブを有しており、
前記補助リブは、前記流路の前記中心側から前記流路の前記内壁側に向かって延びており、前記流路の前記内壁との間に隙間を有している、請求項１に記載の逆流防止装置。
【請求項６】
前記補助リブの前記流路の下流側の端は、前記リブの前記流路の下流側の端よりも、前記流路の上流側に位置している、請求項５に記載の逆流防止装置。
【請求項７】
前記変形抑制部は、補助リブを有しており、
前記補助リブは、湯水の通水方向からみて円環形状であり、
前記補助リブは、前記支持部よりも前記内壁側に配置されており、かつ前記リブに連結されている、請求項４に記載の逆流防止装置。
【請求項８】
上水を加熱するための給湯経路と、
浴槽の湯水を加熱するための風呂循環経路と、
前記給湯経路と前記風呂循環経路とを接続し、かつ前記給湯経路から前記風呂循環経路に湯水を流入させるための注湯経路と、
前記給湯経路から前記注湯経路へ湯水の流通と遮断を切り替える注湯弁とを備え、
請求項１〜７のいずれか１項に記載の前記逆流防止装置の前記開閉弁が前記注湯弁となるように前記逆流防止装置が組み込まれている、風呂給湯器。
【発明の詳細な説明】
【技術分野】
【０００１】
本発明は、逆流防止装置および風呂給湯器に関する。
【背景技術】
【０００２】
従来の逆流防止装置として、例えば特開２００３−３２２４０４号公報（特許文献１）および特開２０１５−７４５３号公報（特許文献２）に開示されている逆流防止装置が挙げられる。これらの逆流防止装置は、本体と、流路と、開閉弁と、第１逆止弁と、大気開放弁と、第２逆止弁とを有している。流路は、本体の内部に形成されている。流路内においては、上流側から順に、開閉弁、第１逆止弁、大気開放弁、および第２逆止弁が直列に配置されている。特許文献１および特許文献２に開示されている逆流防止装置は、これらの構成により、第１逆止弁の開閉弁側（すなわち、給水側）への逆流水の流入を防止している。
【先行技術文献】
【特許文献】
【０００３】
【特許文献１】特開２００３−３２２４０４号公報
【特許文献２】特開２０１５−７４５３号公報
【発明の概要】
【発明が解決しようとする課題】
【０００４】
特許文献１および特許文献２に開示されている逆流防止装置の第１逆止弁および第２逆止弁には、比較的大きな異物が噛み込まれる場合がある。この場合、特許文献１および特許文献２に開示されている逆流防止装置は、第１逆止弁の開閉弁側への逆流水の流入を防止することができない。
【０００５】
本発明は、このような従来技術の問題点に鑑みてなされたものである。すなわち、本発明は、比較的大きな異物が逆止弁に噛み込まれた場合であっても、開閉弁側への逆流水の流入を防止することが可能な逆流防止装置および風呂給湯器を提供するものである。
【課題を解決するための手段】
【０００６】
本発明に係る逆流防止装置は、内部に流路を有する本体部と、開閉により流路の上流側から下流側への湯水の流通と遮断を切り替えるための開閉弁と、開閉弁よりも流路の下流側に設けられ、開閉弁側への湯水の逆流を防止するための第１逆止弁と、第１逆止弁よりも流路の下流側に設けられ、開閉弁側への湯水の逆流を防止するための第２逆止弁と、第１逆止弁と第２逆止弁との間の流路に連通しており、逆流発生時には逆流水を排水するための大気開放弁と、第１逆止弁よりも流路の下流側に設けられ、開閉弁側への湯水の逆流を防止するバッフル部材を有する第３逆止弁と、バッフル部材よりも流路の下流側に設けられ、湯水の流通時において変形したバッフル部材が接触可能に配置され、バッフル部材の変形を制限する変形抑制部とを備える。
【０００７】
本発明に係る逆流防止装置によると、比較的大きな異物が逆止弁に噛み込まれた場合でも、第１逆止弁の開閉弁側への逆流水の流入を防止することが可能となるとともに、バッフル部材の損傷を抑制することが可能となる。
【０００８】
上記の逆流防止装置における変形抑制部は、流路の内壁に設けられ、流路の中心に向かって延びているリブを有していてもよい。この場合、比較的大きな異物が逆止弁に噛み込まれた場合であっても、第１逆止弁の開閉弁側への逆流水の流入を防止することが可能であり、また、バッフル部材の損傷を抑制することが可能となる。
【０００９】
上記の逆流防止装置において、変形抑制部は、前記流路の上流側に位置する側がテーパー部とされており、テーパー部は、流路の中心側から流路の内壁側に向かうにしたがい、流路の上流側から流路の下流側に向かって傾斜していてもよい。この場合、変形抑制部を設けたことに伴う通水抵抗の増加を抑制することが可能となる。
【００１０】
上記の逆流防止装置において、流路の内壁から流路の中心に向かう方向のリブの長さは流路の内半径の０．５倍以上１倍以下であってもよい。この場合、通水時にバッフル部材が変形することにより、バッフル部材の端部がリブに引っかかって戻らなくなることを防止することが可能となる。
【００１１】
上記の逆流防止装置において、変形抑制部は、湯水の通水方向からみて円環形状の支持部を有しており、支持部の外周はリブに連結されていてもよい。この場合、通水時の水流により、バッフル部材が流されてしまうことを抑制することが可能となる。
【００１２】
上記の逆流防止装置において、変形抑制部は、補助リブを有しており、補助リブは、流路の中心側から流路の内壁側に向かって延びており、流路の前記内壁との間に隙間を有していてもよい。この場合、通水時の圧力損失を大きく増加させずにバッフル部材の変形をより抑制することが可能となる。
【００１３】
上記の逆流防止装置において、補助リブの流路の下流側の端は、リブの流路の下流側の端よりも流路の上流側に位置していてもよい。この場合、通水時の補助リブを設けたことに伴う通水抵抗の増加を抑制することが可能となる。
【００１４】
上記の逆流防止装置において、変形抑制部は、補助リブを有しており、補助リブは、湯水の通水方向からみて円環形状であり、補助リブは、支持部よりも前記内壁側に配置されており、かつリブに連結されていてもよい。この場合、通水時の圧力損失を大きく増加させずにバッフル部材の変形をより抑制することが可能となるとともに、流路を流れる湯水を整流することが可能となる。
【００１５】
本発明の風呂給湯器は、上水を加熱するための給湯経路と、浴槽の湯水を加熱するための風呂循環経路と、給湯経路と風呂循環経路とを接続し、かつ給湯経路から風呂循環経路に湯水を流入させるための注湯経路と、給湯経路から注湯経路へ湯水の流通と遮断を切り替える注湯弁とを備え、上記の逆流防止装置の開閉弁が注湯弁となるように逆流防止装置が組み込まれている。この場合、比較的大きな異物が逆止弁に噛み込まれた場合であっても、第１逆止弁の開閉弁側への逆流水の流入を防止することが可能となるとともに、バッフル部材の損傷を抑制することが可能となる。
【発明の効果】
【００１６】
本発明によれば、比較的大きな異物が逆止弁に噛み込まれた場合であっても、第１逆止弁の開閉弁側への逆流水の流入を防止することが可能となる。また、本発明によれば、バッフル部材の損傷を抑制することが可能となる。
【図面の簡単な説明】
【００１７】
【図１】実施形態１に係る逆流防止装置の逆流水発生時における断面図である。
【図２】実施形態１に係る逆流防止装置の通水時の断面図である。
【図３】実施形態１に係る逆流防止装置の第３逆止弁の断面斜視図である。
【図４】実施形態１に係る逆流防止装置の第３逆止弁の湯水の通水方向における断面図である。
【図５】実施形態１に係る風呂給湯器の模式図である。
【図６】比較例１に係る逆流防止装置の断面図である。
【図７】比較例２に係る逆流防止装置の断面図である。
【図８】実施形態２に係る逆流防止装置の断面図である。
【図９】実施形態２に係る逆流防止装置の第３逆止弁の湯水の通水方向における断面図である。
【図１０】実施形態３に係る逆流防止装置の断面図である。
【図１１】実施形態３に係る逆流防止装置の第３逆止弁の湯水の通水方向における断面図である。
【図１２】実施形態４に係る逆流防止装置の断面図である。
【図１３】実施形態４に係る逆流防止装置の第３逆止弁の湯水の通水方向における断面図である。
【図１４】実施形態５に係る逆流防止装置の断面図である。
【図１５】実施形態５に係る逆流防止装置の第３逆止弁の湯水の通水方向における断面図である。
【発明を実施するための形態】
【００１８】
以下に、本発明の実施形態について図１〜４を参照して説明する。なお、各図中同一または相当部分には同一符号を付している。また、以下に記載する実施形態の少なくとも一部を任意に組み合わせてもよい。さらに、長さ、幅、厚さ、深さなどの寸法関係は、図面の明瞭化のために適宜変更されており、実際の寸法関係を表すものではない。
【００１９】
（実施形態１）
以下に、実施形態１に係る逆流防止装置１の構成について図を参照して説明する。図１に示すように、実施形態１に係る逆流防止装置１は、本体１０と、開閉弁４と、第１逆止弁２１と、第２逆止弁２２と、第３逆止弁２３と、大気開放弁３と、変形抑制部５とを有している。
【００２０】
本体１０は、ケーシング１ａと、ケーシング１ｂと、ケーシング１ｃとを有している。ケーシング１ａとケーシング１ｂとは、互いに分離可能に結合されている。また、ケーシング１ｂとケーシング１ｃとは、互いに分離可能に結合されている。そのため、ケーシング１ａ、ケーシング１ｂおよびケーシング１ｃを分離することにより、第１逆止弁２１、第２逆止弁２２および第３逆止弁２３のメンテナンス、交換等を行うことができる。
【００２１】
本体１０は、流路を有している。流路は、本体１０の内部に形成されている。流路は、１次側流路１１と、２次側流路１２と、中間流路１６とを含んでいる。１次側流路１１と２次側流路１２は、中間流路１６を介在して互いに連通している。中間流路１６は、第１逆止弁２１と第２逆止弁２２の間に位置し、かつ連通路１７に連通している。１次側流路１１内における圧力は、１次圧Ｐ１となっている。１次側流路１１と２次側流路１２が連通している箇所においては、弁開口部１３が形成されている。弁開口部１３の周縁には、弁座１４が形成されている。なお、以下においては、流路の１次側流路１１側を上流側、流路の２次側流路１２側を下流側ということとする。
【００２２】
開閉弁４は、開閉により流路の上流側から下流側への湯水の流通と遮断を切り替える。開閉弁４は、例えばパイロット式電磁弁である。開閉弁４は、ダイヤフラム弁体４０と、プランジャ４３と、電磁ソレノイド４４とを有している。
【００２３】
ダイヤフラム弁体４０の背面側には背圧室１５が形成されている。ダイヤフラム弁体４０は、パイロット孔４２ａとブリード孔４２ｂとを有している。パイロット孔４２ａは、背圧室１５と２次側流路１２とを連通している。ブリード孔４２ｂは、背圧室１５と１次側流路１１とを連通している。そのため、背圧室１５内の圧力は、１次圧Ｐ１と同圧となっている。
【００２４】
ダイヤフラム弁体４０は、弁座１４に対向して往復運動可能とされている。ダイヤフラム弁体４０のうち、弁座１４の周囲にはみ出して１次側流路１１に対面する部分は、１次圧Ｐ１を受ける。
【００２５】
ダイヤフラム弁体４０は、ダイヤフラム４１をダイヤフラムプレート４２に組み付けることによって構成されている。ダイヤフラム４１は、可撓性を有している。ダイヤフラムプレート４２は、比較的硬質の樹脂により形成されている。
【００２６】
プランジャ４３は、ダイヤフラムプレート４２の背面側において、往復動自在となっている。プランジャ４３は、電磁ソレノイド４４を駆動源としている。プランジャ４３は、前進時にはパイロット孔４２ａを閉状態とする。また、プランジャ４３は、前進時にはダイヤフラム弁体４０を弁座１４に押圧する。これにより、ダイヤフラム弁体４０により弁開口部１３は、閉状態とされる。プランジャ４３は、後退時にはパイロット孔４２ａを開状態とする。すなわち、プランジャ４３が後退することにより、弁開口部１３は開状態とされる。これにより、背圧室１５と２次側流路１２とが連通する。
【００２７】
第１逆止弁２１、第２逆止弁２２および第３逆止弁２３は、流路の上流側からこの順に直列に設けられている。より具体的には、第１逆止弁２１は、開閉弁４よりも流路の下流側に設けられている。第２逆止弁２２は、第１逆止弁２１よりも流路の下流側に設けられている。第３逆止弁２３は、第２逆止弁２２よりも流路の下流側に設けられている。
【００２８】
第１逆止弁２１は、支持体２１ａと、弁軸２１ｂと、弁体２１ｃとを有している。弁体２１ｃは、弁軸２１ｂにより支持されている。弁軸２１ｂは、支持体２１ａにより、軸方向に摺動可能に支持されている。
【００２９】
図２に示すとおり、通水時には、弁軸２１ｂが通水圧により、下流側に移動する。これに伴って、弁体２１ｃと弁座２１ｄが離間する。これにより、第１逆止弁２１は、２次側流路１２側（すなわち、下流側）への通水を許容する。他方、図１に示すとおり、逆流水の発生時には、弁体２１ｃは弁座２１ｄに密着する。これにより、流路が閉塞され、開閉弁４側（すなわち、上流側）への逆流が阻止される。
【００３０】
第２逆止弁２２は、支持体２２ａと、弁軸２２ｂと、弁体２２ｃとを有している。弁体２２ｃは、弁軸２２ｂにより支持されている。弁軸２２ｂは、支持体２２ａにより、軸方向に摺動可能に支持されている。
【００３１】
図２に示すとおり、通水時には、弁軸２２ｂが通水圧により、下流側に移動する。これに伴って、弁体２２ｃと弁座２２ｄが離間する。これにより、第２逆止弁２２は、２次側流路１２側（すなわち、下流側）への通水を許容する。他方、図１に示すとおり、逆流水の発生時には、弁体２２ｃは弁座２２ｄに密着する。これにより、流路が閉塞され、開閉弁４側（すなわち、上流側）への逆流が阻止される。
【００３２】
第３逆止弁２３は、流路内において、第２逆止弁２２の下流側に設けられている。第３逆止弁２３は、逆流水が第２逆止弁２２側に向かうことを阻害するものである。第３逆止弁２３は、通常の通水時には、湯水の通水を許容する。
【００３３】
図３に示すように、第３逆止弁２３は、バッフル部材２３ａを有している。バッフル部材２３ａは、円板状の部材である。バッフル部材２３ａは、孔２３ａａを有している。孔２３ａａは、バッフル部材２３ａの中心に設けられている。
【００３４】
弁軸２２ｂは、凹部２２ｂａを有している。凹部２２ｂａは、弁体２２ｃが設けられている側の反対側の先端付近に形成されている。孔２３ａａは、凹部２２ｂａに嵌合されている。これにより、バッフル部材２３ａが弁軸２２ｂに取り付けられている。なお、凹部２２ｂａにおける弁軸２２ｂの径は、孔２３ａａの径よりも大きくなっている。そのため、バッフル部材２３ａは、一時的に引き延ばして孔２３ａａのサイズを拡大させることにより、弁軸２２ｂに嵌合される。
【００３５】
支持体２２ａは、貫通孔２２ｅを有している。貫通孔２２ｅは、弁軸２２ｂの周囲に形成されている。貫通孔２２ｅは、支持体２２ａを湯水の流れ方向に沿って貫通している。
【００３６】
図１に示すように、逆流水の発生時には、逆流圧によってバッフル部材２３ａが支持体２２ａ側に変形する。これにより、バッフル部材２３ａは貫通孔２２ｅを閉じるように変形する。これにより、第３逆止弁２３は、第２逆止弁２２に向かう（すなわち、開閉弁４側に向かう）逆流水の流れを阻害する。他方、図２に示すように、通常の通水時には、通水圧によって、バッフル部材２３ａの外周部が下流方向に曲がるように変形する。これにより、バッフル部材２３ａは、貫通孔２２ｅを開くように変形する。これにより、第３逆止弁２３は、通常の通水時には、湯水の通水を許容する。
【００３７】
バッフル部材２３ａは、弁体２１ｃおよび弁体２２ｃよりも弾性変形しやすい材料であることが好ましい。すなわち、バッフル部材２３ａの弾性率（ヤング率等）は、弁体２１ｃおよび弁体２２ｃの弾性率よりも低い。バッフル部材２３ａには、例えばゴム又は樹脂が用いられる。バッフル部材２３ａは、弁体２１ｃおよび弁体２２ｃよりも厚みが薄いことが好ましい。バッフル部材２３ａは、孔２３ａａ近傍を除き厚みが一定であることが好ましい。
【００３８】
大気開放弁３は、連通路１７を介して中間流路１６に連通している。大気開放弁３は、図１に示すように、中間流路１６に逆流水が進行してきた場合に、１次圧Ｐ１が低下し、逆流水を外部に排出する。
【００３９】
大気開放弁３は、ダイヤフラム３０と、バネ３１と、圧力室３２と、弁開口部３３と、排水路３４とを有している。ダイヤフラム３０の背面側には、圧力室３２が設けられている。圧力室３２には、１次側流路１１から１次圧Ｐ１が供給されている。排水路３４は、弁開口部３３と連通している。ダイヤフラム３０は、バネ３１により圧力室３２側（弁開方向）に付勢されている。
【００４０】
通常の通水時においては、１次圧Ｐ１はバネ３１の付勢力よりも大きい。そのため、１次圧Ｐ１によりダイヤフラムが弁開口部３３を閉塞している。他方、１次圧Ｐ１が低下し負圧となると、バネ３１の付勢力により、ダイヤフラム３０は圧力室３２側に後退し、弁開口部３３が開状態となる。このとき、仮に第２逆止弁２２と第３逆止弁２３とが異物Ｆの噛み込み等により閉じきっていないと、逆流水は第３逆止弁２３、第２逆止弁２２、中間流路１６及び連通路１７を通じて排水路３４から外部に排出される。
【００４１】
図１に示すように、変形抑制部５は、２次側流路１２の内壁上に形成されている。好ましくは、変形抑制部５は、ケーシング１ｃの一部であり、ケーシング１ｃと一体となっている。変形抑制部５は、第３逆止弁２３の下流側に設けられている。上記のとおり、バッフル部材２３ａは、通常の通水時に下流方向に曲がるように変形する。変形抑制部５は、この際に変形したバッフル部材２３ａと接触する位置に設けられる。すなわち、変形抑制部５は、バッフル部材２３ａの変形を制限するためのものである。
【００４２】
変形抑制部５は、テーパー部５ｄを有していてもよい。テーパー部５ｄは、変形抑制部５の上流側に設けられている。テーパー部５ｄは、湯水の流れに垂直な方向の幅Ｗを有している。テーパー部５ｄにおいては、２次側流路１２の上流側から下流側に向かうにしたがい、幅Ｗが広くなっている。すなわち、テーパー部５ｄは、２次側流路１２の中心側から２次側流路１２の内壁側に向かうにしたがい、上流側から下流側に向かって傾斜している。これにより、変形抑制部５を設けることに伴う通水抵抗の増加を抑制することが可能となる。
【００４３】
図４に示すように、変形抑制部５は複数のリブ５ａを有している。複数のリブ５ａは、２次側流路１２の内壁上に形成されている。複数のリブ５ａの各々は、２次側流路１２の内壁上から、２次側流路１２の中心に向かう方向に延伸している。例えば、４つのリブ５ａは、２次側流路１２の内壁上に形成されている。複数のリブ５ａの各々は、好ましくは等間隔に配置されている。図１に示すように、リブ５ａの各々は、下流方向に平行な方向にも延伸している。
【００４４】
リブ５ａは、２次側流路１２の内壁から２次側流路１２の中心に向かう方向の長さＨを有している。長さＨは、２次側流路１２の流れ方向に垂直な断面における半径Ｒの０．５倍以上１倍以下であることが好ましい。通水時にバッフル部材２３ａが変形することにより、バッフル部材２３ａの端部がリブ５ａに引っかかって戻らなくなる可能性がある。リブ５ａの長さＨを２次側流路１２の半径Ｒの０．５倍以上１倍以下とすることにより、このような状態となることを防止することができる。
【００４５】
なお、上記においては、第３逆止弁２３および変形抑制部５は、第２逆止弁２２の下流側に設けられるものとして説明を行ったが、第３逆止弁２３および変形抑制部５は、第１逆止弁２１の下流側であって、第２逆止弁２２の上流側に設けられてもよい。
【００４６】
以下に、実施形態１に係る風呂給湯器１００について説明する。
図５に示すように、風呂給湯器１００は、逆流防止装置１と、循環ポンプ２０と、バーナ５０ａと、バーナ５０ｂと、熱交換器５１ａと、熱交換器５１ｂと、給湯経路６１と、注湯経路６２と、風呂循環経路６３とを有している。
【００４７】
給湯経路６１は、上水を加熱する経路である。給湯経路６１は、配管６１ａと、配管６１ｂと、熱交換器５１ａとを有している。配管６１ａの一方端は、入水口６０を有している。入水口６０は、上水道に接続されている。配管６１ａの他方端は、熱交換器５１ａの一方端に接続されている。熱交換器５１ａの他方端は、配管６１ｂの一方端に接続されている。配管６１ｂの他方端は、カラン等に接続されている。熱交換器５１ａの近傍には、バーナ５０ａが配置されている。
【００４８】
風呂循環経路６３は、浴槽７中の湯水を加熱する経路である。風呂循環経路６３は、配管６３ａと、配管６３ｂと、熱交換器５１ｂとを有している。配管６３ａの一方端は熱交換器５１ｂの一方端に接続されている。配管６３ａの他方端は、循環アダプタ７１に接続されている。熱交換器５１ｂの他方端は、配管６３ｂの一方端に接続されている。配管６３ｂの他方端は、循環アダプタ７１に接続されている。熱交換器５１ｂの近傍には、バーナ５０ｂが配置されている。配管６３ｂには、循環ポンプ２０が設けられている。
【００４９】
注湯経路６２は、給湯経路６１から風呂循環経路６３に湯水を流入させる経路である。注湯経路６２の一方端は、給湯経路６１に接続されている。より具体的には、注湯経路６２の一方端は、配管６１ｂに接続されている。注湯経路６２の他方端は、風呂循環経路６３に接続されている。より具体的には、注湯経路６２の他方端は、配管６３ｂに接続されている。
【００５０】
逆流防止装置１は、注湯経路６２の途中に設けられている。より具体的には、逆流防止装置１の１次側流路１１は、配管６１ｂ側に接続されている。逆流防止装置１の２次側流路１２は、配管６３ｂ側に接続されている。なお、図５中においては、逆流防止装置１は、開閉弁４のみが図示されている。開閉弁４は、風呂給湯器１００の注湯弁となる。
【００５１】
循環アダプタ７１は、浴槽７内に設けられている。循環アダプタ７１は、吐出口と吸込口とを有している。
【００５２】
以下に、風呂給湯器１００の一般給湯動作について説明する。入水口６０から供給された上水は、配管６１ａを介して熱交換器５１ａに供給される。熱交換器５１ａに供給された上水は、熱交換器５１ａにおいて加熱されて湯となる。この湯は、配管６１ｂを介してカラン等へ供給される。
【００５３】
以下に、風呂給湯器１００の浴槽７への湯張り動作について説明する。入水口６０から供給された上水は、配管６１ａを介して熱交換器５１ａに供給される。熱交換器５１ａに供給された上水は、熱交換器５１ａにおいて加熱されて湯となる。風呂給湯器１００が浴槽７への湯張り動作を行っている際には、逆流防止装置１の開閉弁４は開状態となっている。そのため、この湯は、注湯経路６２、配管６３ｂおよび循環アダプタ７１の吐出口を介して浴槽７に供給される。
【００５４】
以下に、風呂給湯器１００の追い炊き動作について説明する。循環ポンプ２０により、循環アダプタ７１の吸込口から浴槽７の湯が図中の矢印の方向に吸い上げられる。この吸い上げられた湯は、配管６３ｂを介して、熱交換器５１ｂに供給される。この吸い上げられた湯は、熱交換器５１ｂにおいて昇温される。この昇温された湯は、配管６３ａおよび循環アダプタ７１の吐出口を介して、浴槽７に戻される。
【００５５】
以下に、実施形態１に係る逆流防止装置１の効果を比較例と対比することにより説明する。図６に示すように、比較例１に係る逆流防止装置１は、本体１０と、開閉弁４と、第１逆止弁２１と、第２逆止弁２２と、大気開放弁３とを有している。すなわち、比較例１に係る逆流防止装置１は、第３逆止弁２３および変形抑制部５を有していない点において、実施形態１に係る逆流防止装置と異なっている。
【００５６】
比較例１に係る逆流防止装置１においては、第１逆止弁２１の弁体２１ｃと弁座２１ｄの間および第２逆止弁２２の弁体２２ｃと弁座２２ｄの間に、比較的大きな異物Ｆが噛み込まれる場合がある。このような場合には、第１逆止弁２１の弁体２１ｃと弁座２１ｄの間および第２逆止弁２２の弁体２２ｃと弁座２２ｄの間に、小さな隙間が形成されることになる。
【００５７】
第２逆止弁２２の弁体２２ｃと弁座２２ｄの隙間が形成された状態で、１次側流路１１が負圧となることにより逆流水が生じると、第２逆止弁２２の弁体２２ｃと弁座２２ｄの隙間から逆流水が噴出される可能性がある。この噴出された逆流水は、第１逆止弁２１の弁体２１ｃと弁座２１ｄの隙間を通過して開閉弁４側に到達する可能性がある。１次側流路１１が負圧となっている場合、開閉弁４は逆流を防止することができない。そのため、開閉弁４側に到達した逆流水は、開閉弁４を通り抜けて１次側流路１１に達する可能性がある。その結果、逆流水により上水が汚染されてしまう可能性がある。
【００５８】
他方、実施形態１に係る逆流防止装置には、図１に示すように、バッフル部材２３ａを有する第３逆止弁２３が設けられている。そのため、第１逆止弁２１の弁体２１ｃと弁座２１ｄの間および第２逆止弁２２の弁体２２ｃと弁座２２ｄの間に、比較的大きな異物Ｆが噛み込まれた場合であっても、第３逆止弁２３により逆流を防止することが可能となる。上記のとおり、第３逆止弁２３のバッフル部材２３ａは、厚みが薄く、弾性率も低いゴムまたは樹脂により形成されている。そのため、第３逆止弁２３は、第１逆止弁２１及び第２逆止弁２２と比較し、異物Ｆが噛み込みにくい。また、第３逆止弁２３においては、仮に異物Ｆが噛み込んだとしても、通水時にバッフル部材２３ａが変形することにより、異物Ｆが下流側に流出しやすい。
【００５９】
図７に示すように、比較例２に係る逆流防止装置１は、実施形態１に係る逆流防止装置１と同様に、本体１０と、開閉弁４と、第１逆止弁２１と、第２逆止弁２２と、第３逆止弁２３と、大気開放弁３とを有している。すなわち、比較例２に係る逆流防止装置１は、変形抑制部５を有していない点において、実施形態１に係る逆流防止装置と異なっている。
【００６０】
比較例２に係る逆流防止装置１においては、第１逆止弁２１の弁体２１ｃと弁座２１ｄの間および第２逆止弁２２の弁体２２ｃと弁座２２ｄの間に、比較的大きな異物Ｆが噛み込まれたとしても、第３逆止弁２３が逆流水が第２逆止弁２２側に到達することを阻害する。そのため、１次側流路１１が負圧となり、逆流水が生じたとしても、逆流水の発生を抑制でき、上水が逆流水により汚染されてしまうことを防止することができる。
【００６１】
しかしながら、比較例２に係る逆流防止装置１においては、第３逆止弁２３のバッフル部材２３ａが、通常の通水時に、下流側に繰り返し大きく変形する。そのため、第３逆止弁２３のバッフル部材２３ａが、繰り返し変形により損傷する可能性がある。
【００６２】
他方、実施形態１に係る逆流防止装置１は、図１、図２に示すように、変形抑制部５を有している。通常の通水時に、第３逆止弁２３のバッフル部材２３ａは、変形抑制部５に接触する。そのため、通常の通水時に、第３逆止弁２３のバッフル部材２３ａの変形は、変形抑制部５により抑制される。その結果、第３逆止弁２３のバッフル部材２３ａが損傷する可能性は、比較例２に係る逆流防止装置１と比較して抑制されることになる。
【００６３】
以上のとおり、実施形態１に係る逆流防止装置１によると、逆流水が開閉弁側への流入を防止することが可能となるとともに、バッフル部材の損傷を抑制することが可能となる。
【００６４】
（実施形態２）
以下に、実施形態２に係る逆流防止装置１の構成について図８、９を参照して説明する。なお、以下においては、実施形態１と異なる点について主に説明する。
【００６５】
図８に示すように、実施形態２に係る逆流防止装置１は、実施形態１に係る逆流防止装置１と同様、本体１０と、開閉弁４と、第１逆止弁２１と、第２逆止弁２２と、第３逆止弁２３と、大気開放弁３と、変形抑制部５とを有している。
【００６６】
しかしながら、実施形態２に係る逆流防止装置１は、変形抑制部５の構成が、実施形態１に係る逆流防止装置１と異なっている。
【００６７】
図９に示すように、実施形態２に係る逆流防止装置１の変形抑制部５は、複数のリブ５ａと、支持部５ｂとを有している。リブ５ａは、２次側流路１２の内壁上に複数形成されている。リブ５ａは、２次側流路１２の内壁上から、２次側流路１２の中心に向かう方向に延伸している。複数のリブ５ａの各々は、好ましくは等間隔に配置されている。リブ５ａの各々は、下流方向に平行な方向にも延伸している。
【００６８】
支持部５ｂは、２次側流路１２の中心付近に設けられている。支持部５ｂは、好ましくは、湯水の流れの方向から見て、円環状の平面形状を有している。この円環の径は、弁軸２２ｂの径よりも大きい。支持部５ｂは、下流方向に平行な方向に延伸している。支持部５ｂは、その外周面において、リブ５ａと連結されている。これにより、支持部５ｂは、２次側流路１２の内部において支持されている。
【００６９】
支持部５ｂは、第２逆止弁２２の弁軸２２ｂに対応する位置に設けられている。第２逆止弁２２の弁軸２２ｂは、上記のとおり、通水時には下流側に移動する。その結果、バッフル部材２３ａの弁軸２２ｂに嵌合されている部分の周囲が、通水時に、支持部５ｂに当接する。
【００７０】
以下に、実施形態２に係る逆流防止装置１の効果について説明する。
上記のとおり、バッフル部材２３ａは、孔２３ａａにおいて、第２逆止弁２２の弁軸２２ｂの凹部２２ｂａに嵌合されている。実施形態１に係る逆流防止装置１においては、変形抑制部５が支持部５ｂを有していない。そのため、通水時の水流により、凹部２２ｂａと孔２３ａａの嵌合が外れてしまう可能性がある。すなわち、バッフル部材２３ａが、通水時の水流により、弁軸２２ｂから流されてしまう可能性がある。
【００７１】
他方、実施形態２に係る逆流防止装置１は、変形抑制部５が支持部５ｂを有している。この支持部５ｂは、通水時にバッフル部材２３ａを、弁軸２２ｂに近い位置において支持する。そのため、実施形態２に係る逆流防止装置１は、通水時の水流により、弁軸２２ｂの凹部２２ｂａとバッフル部材２３ａの孔２３ａａの嵌合が外れてバッフル部材２３ａが流されてしまうことを抑制することが可能となる。
【００７２】
（実施形態３）
以下に、実施形態３に係る逆流防止装置１の構成について図１０、１１を参照して説明する。なお、以下においては、実施形態２と異なる点について主に説明する。
【００７３】
図１０に示すように、実施形態３に係る逆流防止装置１は、実施形態２に係る逆流防止装置１と同様に、本体１０と、開閉弁４と、第１逆止弁２１と、第２逆止弁２２と、第３逆止弁２３と、大気開放弁３と、変形抑制部５とを有している。
【００７４】
しかしながら、実施形態３に係る逆流防止装置１は、変形抑制部５の構成が、実施形態２に係る逆流防止装置１と異なっている。
【００７５】
図１１に示すように、実施形態３に係る逆流防止装置１の変形抑制部５は、複数のリブ５ａと、支持部５ｂと、補助リブ５ｃとを有している。
【００７６】
補助リブ５ｃは、例えば支持部５ｂの外周面上に形成されることにより、２次側流路１２の内部で支持されている。補助リブ５ｃは、２次側流路１２の中心側から２次側流路１２の内壁側に向かって延伸している。具体的には、補助リブ５ｃは、支持部５ｂから２次側流路１２の内壁に向かって延伸している。但し、補助リブ５ｃは、２次側流路１２の内壁には連結されていない。すなわち、補助リブ５ｃは、２次側流路１２の内壁との間に隙間を有している。補助リブ５ｃは、好ましくは、複数形成されている。補助リブ５ｃは、好ましくはリブ５ａの間に配置されている。好ましくは、補助リブ５ｃの各々は、等間隔に配置されている。好ましくは、補助リブ５ｃは、リブ５ａよりも湯水の流れ方向の下流側にオフセットしている。すなわち、補助リブ５ｃの下流側の端は、リブ５ａの下流側の端よりも上流側に位置していることが好ましい。これにより、補助リブ５ｃの追加に伴う通水抵抗の増加を抑制することが可能となる。
【００７７】
以下に、実施形態３に係る逆流防止装置１の効果について説明する。
リブ５ａの数を増加させることにより、バッフル部材２３ａは、通水時により多くの点において支持されることになる。すなわち、リブ５ａの数を増加させることにより、バッフル部材２３ａの変形がより抑制されることになる。
【００７８】
しかしながら、リブ５ａの数を増加させると、流路の圧力損失が増加してしまうことになる。他方、実施形態３に係る逆流防止装置１の変形抑制部５は、補助リブ５ｃを有している。補助リブ５ｃは、２次側流路１２の内壁には連結されていない。そのため、補助リブ５ｃを設けたとしても、通水時の圧力損失を大きく増加させることはない。
【００７９】
以上から、実施形態３に係る逆流防止装置１によると、バッフル部材２３ａの通水時の変形を抑制することによりバッフル部材２３ａの損傷をより抑制することが可能となるとともに、リブの数を増やすことに伴う通水時の圧力損失の上昇を抑制することが可能となる。
【００８０】
（実施形態４）
以下に、実施形態４に係る逆流防止装置１の構成について図１２、１３を参照して説明する。なお、以下においては、実施形態３と異なる点について主に説明する。
【００８１】
図１２に示すように、実施形態４に係る逆流防止装置１は、実施形態３に係る逆流防止装置１と同様に、本体１０と、開閉弁４と、第１逆止弁２１と、第２逆止弁２２と、第３逆止弁２３と、大気開放弁３と、変形抑制部５とを有している。
【００８２】
しかしながら、実施形態４に係る逆流防止装置１は、変形抑制部５の構成が、実施形態３に係る逆流防止装置１と異なっている。より具体的には、実施形態４に係る逆流防止装置１は、支持部５ｂを有していない点において、実施形態３に係る逆流防止装置１と異なっている。
【００８３】
図１３に示すように、実施形態４に係る逆流防止装置１の変形抑制部５は、複数のリブ５ａと、補助リブ５ｃとを有している。
【００８４】
複数のリブ５ａは、２次側流路１２の内壁上に形成されている。複数のリブ５ａの各々は、２次側流路１２の内壁上から、２次側流路１２の中心に向かう方向に延伸している。複数のリブ５ａの各々は、２次側流路１２の中心付近において、相互に連結している。
【００８５】
補助リブ５ｃは、例えば上記の複数のリブ５ａの各々が相互に連結している部分に形成されることにより、２次側流路１２の内部で支持されている。補助リブ５ｃは、２次側流路１２の中心側から２次側流路１２の内壁側に向かって延伸している。具体的には、補助リブ５ｃは、複数のリブ５ａの各々が相互に連結している部分から２次側流路１２の内壁に向かって延伸している。但し、補助リブ５ｃは、２次側流路１２の内壁には連結されていない。すなわち、補助リブ５ｃは、２次側流路１２の内壁との間に隙間を有している。
【００８６】
補助リブ５ｃは、好ましくは、複数形成されている。補助リブ５ｃは、好ましくはリブ５ａの間に配置されている。好ましくは、補助リブ５ｃの各々は、等間隔に配置されている。好ましくは、補助リブ５ｃは、リブ５ａよりも湯水の流れ方向の下流側にオフセットしている。すなわち、補助リブ５ｃの下流側の端は、リブ５ａの下流側の端よりも上流側に位置していることが好ましい。これにより、補助リブ５ｃの追加に伴う通水抵抗の増加を抑制することが可能となる。
【００８７】
以下に、実施形態４に係る逆流防止装置１の効果について説明する。
リブ５ａの数を増加させることにより、バッフル部材２３ａは、通水時により多くの点において支持されることになる。すなわち、リブ５ａの数を増加させることにより、バッフル部材２３ａの変形がより抑制されることになる。
【００８８】
しかしながら、リブ５ａの数を増加させると、流路の圧力損失が増加してしまうことになる。他方、実施形態３に係る逆流防止装置１の変形抑制部５は、補助リブ５ｃを有している。補助リブ５ｃは、２次側流路１２の内壁には連結されていない。そのため、補助リブ５ｃを設けたとしても、通水時の圧力損失を大きく増加させることはない。
【００８９】
以上から、実施形態４に係る逆流防止装置１によると、バッフル部材２３ａの通水時の変形を抑制することによりバッフル部材２３ａの損傷をより抑制することが可能となるとともに、リブの数を増やすことに伴う通水時の圧力損失の上昇を抑制することが可能となる。
【００９０】
（実施形態５）
以下に、実施形態５に係る逆流防止装置１の構成について図１４、１５を参照して説明する。なお、以下においては、実施形態３と異なる点について主に説明する。
【００９１】
図１４に示すように、実施形態５に係る逆流防止装置１は、実施形態３に係る逆流防止装置１と同様に、本体１０と、開閉弁４と、第１逆止弁２１と、第２逆止弁２２と、第３逆止弁２３と、大気開放弁３と、変形抑制部５とを有している。
【００９２】
しかしながら、実施形態５に係る逆流防止装置１は、変形抑制部５の構成が、実施形態３に係る逆流防止装置１と異なっている。より具体的には、実施形態５に係る逆流防止装置１は、補助リブ５ｃの構成が、実施形態３に係る逆流防止装置１と異なっている。
【００９３】
図１５に示すように、実施形態５に係る逆流防止装置１の変形抑制部５は、複数のリブ５ａと、支持部５ｂと、補助リブ５ｃとを有している。補助リブ５ｃは、湯水の流れの方向から見て、円環状の形状を有している。
【００９４】
この円環の径は、支持部５ｂの径よりも大きい。補助リブ５ｃは、支持部５ｂの外周と２次側流路１２の内壁との間に設けられている。すなわち、補助リブ５ｃは、支持部５ｂよりも２次側流路１２の内壁側に配置されている。補助リブ５ｃは、リブ５ａに連結している。これにより、補助リブ５ｃは、２次側流路１２の内部において支持されている。補助リブ５ｃは、下流方向に平行な方向にも延伸している。
【００９５】
以下に、実施形態５に係る逆流防止装置１の効果について説明する。補助リブ５ｃが設けられることにより、バッフル部材２３ａは、通水時に、より多くの点において支持されることになる。そのため、実施形態５に係る逆流防止装置１によると、バッフル部材２３ａの通水時の損傷がより抑制されることになる。
【００９６】
また、実施形態５に係る逆流防止装置１においては、補助リブ５ｃは、２次側流路１２の下流方向に平行な方向に延伸しており、かつ円環状の平面形状を有している。すなわち、補助リブ５ｃは、湯水の流れの方向に平行に形成されていることになる。その結果として、補助リブ５ｃは、２次側流路１２を流れる湯水を整流する効果を有する。
【００９７】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００９８】
１  逆流防止装置、１ａ，１ｂ，１ｃ  ケーシング、１０  本体、１１  １次側流路、１２  ２次側流路、１３  弁開口部、１４  弁座、１５  背圧室、１６  中間流路、１７  連通路、２０  循環ポンプ、２１  第１逆止弁、２１ａ  支持体、２１ｂ  弁軸、２１ｃ  弁体、２１ｄ  弁座、２２  第２逆止弁、２２ａ  支持体、２２ｂ  弁軸、２２ｂａ  凹部、２２ｃ  弁体、２２ｄ  弁座、２２ｅ  貫通孔、２３  第３逆止弁、２３ａ  バッフル部材、２３ａａ  孔、３  大気開放弁、３０  ダイヤフラム、３１  バネ、３２  圧力室、３３  弁開口部、３４  排水路、４  開閉弁、４０  ダイヤフラム弁体、４１  ダイヤフラム、４２  ダイヤフラムプレート、４２ａ  パイロット孔、４２ｂ  ブリード孔、４３  プランジャ、４４  電磁ソレノイド、５  変形抑制部、５ａ  リブ、５ｂ  支持部、５ｃ  補助リブ、５ｄ  テーパー部、５０ａ，５０ｂ  バーナ、５１ａ，５１ｂ  熱交換器、６０  入水口、６１  給湯経路、６１ａ，６１ｂ，６３ａ，６３ｂ  配管、６２  注湯経路、６３  風呂循環経路、７  浴槽、７１  循環アダプタ、１００  風呂給湯器、Ｆ  異物、Ｈ  長さ、Ｐ１  １次圧、Ｒ  半径、Ｗ  幅。
【図１】
0006682929.tif 000002
【図２】
0006682929.tif 000003
【図３】
0006682929.tif 000004
【図４】
0006682929.tif 000005
【図５】
0006682929.tif 000006
【図６】
0006682929.tif 000007
【図７】
0006682929.tif 000008
【図８】
0006682929.tif 000009
【図９】
0006682929.tif 000010
【図１０】
0006682929.tif 000011
【図１１】
0006682929.tif 000012
【図１２】
0006682929.tif 000013
【図１３】
0006682929.tif 000014
【図１４】
0006682929.tif 000015
【図１５】
0006682929.tif 000016